(57)【特許請求の範囲】
【請求項１】
情報伝達媒体再生装置から情報伝達媒体及びサーバへのユーザアクセスを制御する方法であって、該情報伝達媒体は予め設定された保護者による制御レベルに関連付けられており、情報伝達媒体再生装置は現在の保護者による制御レベルに関連付けられており、サーバは評価レベルに関連付けられたデータを含み、
前記現在の保護者による制御レベルと前記予め設定された保護者による制御レベルとの間の第一の比較から得られる第一の制御信号によって制御され、前記情報伝達媒体へのアクセスを認める又は認めない第一の切り替え段階と、
前記現在の保護者による制御レベルと前記評価レベルとの間の第二の比較から得られる第二の制御信号によって制御され、前記データへのアクセスを認める又は認めない第二の切り替え段階とを有し、
前記方法は、
前記サーバから前記評価レベルを読み出す段階と、
前記データの評価レベルと前記情報伝達媒体再生装置にセット可能な保護者による制御レベルとを対応付ける参照テーブル段階と、
前記第二の切り替え段階に基づき一般のウェブブラウズの場合のウェブサイトへのアクセスを制御する段階とをさらに有する方法。
【請求項２】
前記評価レベルから、前記第二の比較のために使用される、変更された評価レベルを生成する参照テーブル段階を有する請求項１記載の方法。
【請求項３】
予め設定された保護者による制御レベルに関連付けられる情報伝達媒体を読み取り、評価レベルに関連付けられたデータを含むサーバへのユーザアクセスを制御する情報伝達媒体再生装置であって、該情報伝達媒体再生装置は現在の保護者による制御レベルに関連付けられ、
前記現在の保護者による制御レベルと前記予め設定された保護者による制御レベルとの間の第一の比較から得られる第一の制御信号によって制御され、前記情報伝達媒体へのアクセスを認める又は認めない第一の切り替え手段と、
前記現在の保護者による制御レベルと前記評価レベルとの間の第二の比較から得られる第二の制御信号によって制御され、前記データへのアクセスを認める又は認めない第二の切り替え手段とを有し、
前記再生装置は、
前記サーバから前記評価レベルを読み出す手段と、
前記データの評価レベルと前記情報伝達媒体再生装置にセット可能な保護者による制御レベルとを対応付ける参照テーブル手段と、
前記第二の切り替え段階に基づき一般のウェブブラウズの場合のウェブサイトへのアクセスを制御する手段とをさらに有する情報伝達媒体再生装置。
【請求項４】
前記評価レベルから、前記第二の比較のために使用される、変更された評価レベルを生成する参照手段を有する請求項３記載の情報伝達媒体再生装置。
【請求項５】
請求項１又は２記載の方法の段階をコンピュータに実行させるコンピュータプログラム。
【発明の詳細な説明】
【技術分野】
【０００１】
本発明は、保護者による制御アクセスを有する情報伝達再生装置からサーバコンテンツへのユーザアクセスを制御する方法に関する。
【０００２】
本発明は、ＤＶＤ再生装置のような保護者による制御レベル機能を実装する情報伝達再生装置に適用する。
【背景技術】
【０００３】
ＤＶＤフォーラムは、ＷｅｂＤＶＤとして知られるＷｅｂ接続型ＤＶＤを標準化するワーキンググループＡＨ１−１２を確立した。これら新しい仕様書は、現在のＤＶＤビデオ仕様書の拡張である。これら新しい仕様書に準拠したＤＶＤビデオディスクが、再生されているＤＶＤディスクのコンテンツに直接的に関連する付加コンテンツを含む特定のＷｅｂサイトへのリンクによって公開されることが述べられている。これら特定のＷｅｂサイトは、再生装置がダウンロードすることができ、ＤＶＤディスクによって提供される元々のメニューの代わりに使用することができる新しいナビゲーションメニューとコンテンツとを含んでもよい。
【０００４】
ＷｅｂＤＶＤをサポートする再生装置は、上記付加コンテンツを含むＷｅｂサーバへ接続するための通信手段を有する。有利に、そのような通信手段は、また通常のＷｅｂブラウザ用のその他の通常のＷｅｂサイトへアクセスするために使用可能である。
【０００５】
同時に、ＤＶＤ再生装置は、今日では、保護者による制限機能を含んでいる。この機能の目的は、子供達に対して不適当であると判断されるＤＶＤディスクの再生を無効にすることである。この目的を達成するために、いくつかのＤＶＤは、特定の保護者による制限レベルで符号化されている。ディスクの保護者による制限レベルが（ＰＩＮコードを用いて保護者によって設定される）ＤＶＤ再生装置の保護者による制限レベルより高い場合、再生装置はそのディスクを再生しない。この機能は、保護者に再生装置にて再生可能なＤＶＤコンテンツのタイプを制限させることができる。
【発明の概要】
【発明が解決しようとする課題】
【０００６】
そのような保護者による制限レベル機能を実装するＤＶＤ再生装置において、子供達にとって不適切であると判断される通常のＷｅｂサイトへのアクセスを限定或いは制限することができないため、この機能は制限され、もはや適切ではない。
【０００７】
本発明の目的は、保護者による制限アクセスを有する情報伝達媒体再生装置からサーバコンテンツへのユーザアクセスを制御する方法を提案することである。
【課題を解決するための手段】
【０００８】
本発明に係る制御方法は、情報伝達媒体再生装置において使用される既存の保護者による制限アクセスと、ユーザがアクセスを試みるいくつかのサーバに格納されているデータが保護者による制御レベルに類似する評価レベルに関連付けられていることのいずれかを活用する。
【０００９】
本発明に係る方法は、前記現在の保護者による制御レベルと前記情報伝達媒体再生装置に表示される認可されたデータを選択するためのデータの評価レベルとの比較に基づく制御段階を有する。
【００１０】
再生装置での保護者による制御レベルの設定は、情報伝達コンテンツ（及びこの情報伝達にリンクされるＷｅｂサービス）へのアクセスを制御するためにみに使用されるばかりでない、一般のＷｅｂブラウザの場合においてＷｅｂサイトのアクセスをも制御するために使用される。
【００１１】
付加特徴によれば、方法は、前記データの評価レベル分類と前記情報伝達媒体再生装置の保護者による制御レベル分類との間の対応を確立するための参照テーブル段階を有する。
【００１２】
この特徴は、再生装置を評価レベルをデータに関連付けるいかなるラベル付けシステムへも適応可能である
また、本発明は、サーバコンテンツへのユーザアクセスを制御するための処理手段を有する情報伝達媒体再生装置、現在の保護者による制御レベルに基づく保護者による制御アクセスを有する前記情報伝達媒体装置、評価レベルに関連付けられたデータを有する前記サーバコンテンツ、前記現在の保護者による制御レベルと前記情報伝達媒体再生装置に表示される認可されたデータを選択するための前記データの評価レベルとの間の比較に基づく制御手段を有する前記情報伝達再生装置に関する。
【００１３】
付加特徴によれば、情報伝達媒体再生装置は、前記データの評価レベル分類と前記情報伝達媒体装置の保護者による制御レベル分類との間の対応を確立するための参照手段を有する。
【００１４】
また、本発明は、本発明に係る方法の段階を実行するためのコード命令を有するコンピュータプログラムに関する。
【００１５】
本発明の詳細な説明と他の態様は以下に与えられる。
【図面の簡単な説明】
【００１６】
【図１】サーバコンテンツへのユーザアクセスを制御する本発明に係る方法を示す図である。
【符号の説明】
【００１７】
１０１  ＤＶＤ再生装置
１０２  ネットワーク
１０３  サーバ
１０４  制御アクセス段階
１０５  情報伝達媒体
１０６  ディスプレイ
１０７  制御段階
１０８  制御信号
１０９  比較段階
１１０  ユーザインターフェース
１１１  データ
１１２  参照テーブル段階
１１３  要求
【発明を実施するための形態】
【００１８】
本発明の特定の形態は、以下に記載される実施例を参照することによって説明され、また、同一の部分又はサブ段階は、同一の方法にて指定される添付の図面と共に考察される。
【００１９】
図１は、サーバコンテンツへのユーザアクセスを制御する本発明に係る方法を示す。この図は、サーバ１０３とネットワーク１０２を介して通信する情報伝達媒体再生装置１０１を示す。例えば、遠隔のＷｅｂサイト１０３とインターネット・ネットワーク１０２を介して通信するＤＶＤ再生装置１０１が記述されている。
【００２０】
再生装置１０１は、米国映画協会（ＭＰＡＡ）評価システムに基づいて、保護者による制限アクセス段階１０４を有する。
【００２１】
次の表１は、再生装置にセット可能な異なる保護者による制限レベル（ＰＣＬ）を示している。最高レベルのＰＣＬ＝８は、アダルトコンテンツに関係し、一方で、最低レベルのＰＣＬ＝１は子供向け安全コンテンツに関係する。
【００２２】
【表１】
0004617384.tif 000002
この保護者による制限アクセス段階は、情報伝達媒体１０５（そして、結果として、このＤＶＤへとリンクされる特定のＷｅｂサイトへの制御アクセス）のコンテンツへのアクセスを制御するために使用される。段階１０５は、（ＤＶＤ＿ＰＣＬによって指定される）ディスクの保護者による制御レベルと、再生装置１０１に設定される（Ｃｕｒｒｅｎｔ＿ＰＣＬ＿ｉによって指定される）現在の保護者による制御レベルとの間の比較から得た制御信号によって制御されるスイッチと同様である。Ｃｕｒｒｅｎｔ＿ＰＣＬ＿ｉはＤＶＤ＿ＰＣＬより高いか又は等しい場合のみ、ユーザはディスクコンテンツ（及び、またこのＤＶＤへとリンクされる特定のＷｅｂサイト）へアクセスすることができる。インデックスｉは、表１に定義されるようなＭＰＡＡ評価値の一つに対応する。
【００２３】
再生装置１０１は、アクセスされたサーバのコンテンツの表示の変更にてディスプレイ１０６のみならず、ＤＶＤディスク１０５のコンテンツ及びこのディスクにリンクされる特定のサーバのデータとも関連付けられている。
【００２４】
本発明は、ユーザがアクセスしようと試みるいくつかのサーバに格納されているデータが、保護者による制御レベルに同様な評価レベルのような（以下のＲＬとして参照される）評価レベルに関連付けされることを利用する。
【００２５】
例えば、インターネット上のInternet  Content  Rating  Association及びRecreational  Software  Advisory  Councilは、Ｗｅｂサイトの持ち主がそのデータを主なカテゴリーへ細かく分けるためのラベル付けシステムを提案している。
−  チャット
−  サイト上でしようされる言語
−  サイトの裸体の性的な内容
−  サイト上で描写される暴力
−  ギャンブル、ドラッグ、そしてアルコールのような他カテゴリー
各カテゴリーは、データ内容をよりよく識別するためのサブカテゴリーを有してもよい。
【００２６】
そのようなデータのラベル付けは、パーソナルコンピュータでのＷｅｂブラウザにて使用されることが示される。Ｗｅｂブラウザのパラメータ設定は、カテゴリー又はサブカテゴリーのみを許すように設定される。ユーザによってアクセスされたＷｅｂサイトは、これら設定から除外されたラベルをもつデータを有する場合、対応するデータ内容は、ブラウザに表示されない。
【００２７】
通常、そのようなラベルは、特定のＷｅｂページ、データの特定のフォルダー、又は、Ｗｅｂサイトの全体の内容のいずれかに対して、データをもつＷｅｂページ内のメタタグとしてＨＴＭＬコード化される。
【００２８】
本発明に係る方法は、ディスプレイ１０６に表示すべき認定されたデータを選択するための制御段階１０７を有する。この制御段階１０７は、比較段階１０９によって生成された制御信号１０８によって制御されるスイッチと同様である。比較段階１０９は、現在の保護者による制御レベルＣｕｒｒｅｎｔ＿ＰＣＬ＿ｉとサーバに置かれユーザによってアクセスされるデータの評価レベルＲＬとの間の評価を実行する。サーバ又はサーバ上の特定のデータをアクセスするために、ユーザは、Ｗｅｂサイト又はＷｅｂページアドレスを入力するキーボードのようなユーザインターフェース１１０を使用してもよい。
【００２９】
ユーザはサーバ１０３上に置かれたデータコンテントをアクセスしようとすると、該サーバへの要求１１３が再生装置１０１によって生成される。応じて、サーバ１０３は、該データの評価レベルＲＬを再生装置へ送信する。
【００３０】
ＲＬの値が、現在の保護者による制御レベルＣｕｒｒｅｎｔ＿ＰＣＬ＿ｉを考慮して、データ１１１が子供達に不適切であるとされるようであれば、比較段階１０９は、スイッチ１０７を開く第一の状態をもつ制御信号１０８を生成する。結果として、データ１１１の表示は可能ではなくなる。
【００３１】
ＲＬの値が、現在の保護者による制御レベルＣｕｒｒｅｎｔ＿ＰＣＬ＿ｉを考慮すると、データ１１１は子供達に不適切ではないとされるようであれば、比較段階１０９は、スイッチ１０７を閉じる第二の状態をもつ制御信号１０８を生成する。その結果、データ１１１の表示が可能となる。
【００３２】
例えば、評価レベルのカテゴリーの数がＭＰＡＡ評価のカテゴリーの数と一致しないならば、現在の保護者による制御レベルＣｕｒｒｅｎｔ＿ＰＣＬ＿ｉと、データの評価レベルＲＬとの間の比較は、常に直接的に可能とはならないかもしれない。従って、本発明に係る方法は、サーバ上に置かれたデータの評価レベル分類と表１に示されるようなＭＰＡＡ評価との間の対応を確立するための参照テーブル段階１１２を有する。参照テーブル１１２は、入力評価レベルＲＬと出力評価レベルＲＬ’との間の対応を確立する。
【００３３】
例えば、カテゴリー（サイトの裸体の性的な内容、サイト上で描写される暴力）を８に等しい値ＰＬ’をもつＭＰＡＡ評価に関連付ける、カテゴリー（チャット、サイト上で使用される言語）を７に等しい値ＰＬ’をもつＭＰＡＡ評価に関連付ける、カテゴリー（ギャンブル、ドラッグ、そしてアルコールのような他カテゴリー）を６に等しい値ＰＬ’をもつＭＰＡＡ評価に関連付ける、ようにしてもよい。その場合、比較段階１０９は、Ｃｕｒｒｅｎｔ＿ＰＣＬ＿ｉがデータの関連付けられたＭＰＡＡ評価より低い場合、第一の状態をもつ制御信号１０８を生成し、Ｃｕｒｒｅｎｔ＿ＰＣＬ＿ｉがデータの関連付けられたＭＰＡＡ評価より高いか又は等しい場合、第二の状態をもつ制御信号１０８を生成する。
【００３４】
明らかに、他の分類は、ユーザが観ることを許されるデータのフィルタリングを洗練するためのカテゴリーのサブカテゴリーを考慮することで、なされてもよい。
【００３５】
本発明に係る制御の方法は、ＤＶＤ再生装置のような情報伝達媒体再生装置にて、又は、ＤＶＤ再生装置（ＰＤＡ、携帯電話、・・・）を有するいかなる可搬型装置にてなされてもよい。
【００３６】
そのような方法は、（配線された電子回路、メモリ、信号処理のような）ハードウェア素子によって、或いは、メモリデバイスに格納された、信号処理によって実行されるコード命令を有するコンピュータプログラムのようなハードウェア素子によって実装されてもよい。
【００３７】
用語「有する」は、請求項に列挙される要素以外の要素の存在を排除するものではない。
【図１】
0004617384.tif 000003